(57)【要約】【課題】長時間の使用でも楽に乳幼児を保持することができ、かつ、使用者のファッション性を生かすことができ、意匠的（デザイン的）に見栄えが良く、汎用性のあること。【解決手段】ベビースリング１は、乳幼児が収容される本体部１０の一端部から一対の分岐部２０Ａ，２０Ｂが二股に分岐しており、分岐部２０Ａが使用者の背中から右肩Ｒに、また分岐部２０Ｂが使用者の背中から左肩Ｌに掛け回され、両肩Ｒ，Ｌに掛け回された一対の分岐部２０Ａ，２０Ｂの各一端側が本体部１０の他端部に取り付けられたリング３０（３０Ａ，３０Ｂ，３０Ｃ）に連結されて、使用者に装着される。【選択図】図７
2015192705.tif 000002
【特許請求の範囲】
【請求項１】
乳幼児が収容される本体部と、
前記本体部の長さ方向一端部から二股に分岐して形成され、使用者の両肩に掛けられ、前記本体部からの分岐側とは反対側の各端側が、前記本体部の長さ方向の他端側に連結される一対の分岐部と、
を具備することを特徴とするベビースリング。
【請求項２】
前記本体部の長さ方向の他端側及び前記一対の分岐部の前記本体部からの分岐側とは反対側の各端側は、連結部材の介在によって連結されており、前記連結部材によって全体の長さが調節可能に形成されていることを特徴とする請求項１に記載のベビースリング。
【請求項３】
前記連結部材は、複数のリングで構成されており、前記リングは前記本体部の他端部に取り付けられ、前記リングの孔に前記一対の分岐部の各端側を通し前記リング間で前記一対の分岐部の各端側を挟むことによって、前記一対の分岐部の長さ方向の任意の位置を拘束することを特徴とする請求項２に記載のベビースリング。
【請求項４】
前記連結部材は、複数のバックルで構成されており、前記バックルは前記本体部の他端部に取り付けられ、前記リングに前記一対の分岐部の各端側を接続し、前記バックル間で前記一対の分岐部の各端側を接続することによって、前記一対の分岐部の長さ方向の任意の位置を拘束することを特徴とする請求項２に記載のベビースリング。
【請求項５】
前記各分岐部の長さ方向に対する直角方向の幅を略１０ｃｍ乃至略２０ｃｍの範囲内としたことを特徴とする請求項１乃至請求項３の何れか１つに記載のベビースリング。
【発明の詳細な説明】
【技術分野】
【０００１】
本発明は、乳幼児を抱く際に、乳幼児を抱持する補助具として用いられるベビースリングに関するもので、特に、片肩への集中的な負担を軽減させることができ、かつ、使用者のファッション性を生かすことができ汎用性のあるベビースリングに関するものである。
【背景技術】
【０００２】
近年、乳幼児の体が広い面積ですっぽり包まれると共に、使用者に乳幼児を密着させて保持することで乳幼児と使用者の双方に高い密着感や安心感が得られること、また、２本の肩ベルトによるリュック式ベビーキャリアに比べると構造が単純で慣れれば着脱も容易にできること、更には、軽量で携帯時に嵩張らないことから、乳幼児を抱持する補助具としてベビースリングに注目が集まっている。
【０００３】
このようなベビースリングは、ユーザーの価値観、趣味、嗜好等の多様化に伴い、また、買物、行楽等に乳幼児を連れてでかける機会が増えたこともあり、その実用性・機能性に加え意匠性（デザイン性）が重視されて購入されることも多い。特に、流行やファッションに敏感な若い主婦層においては、おしゃれを楽しむファッションの一部として種々のベビースリングを使用場面に応じて使い分けることも多い。
そして、このようにユーザーのニーズが多様化している中、結婚式、披露宴、パーティ等の場面で使用するのにも適したベビースリング、より具体的には、長時間の使用でも楽に乳幼児を保持することができるといった機能性に加え、結婚式、披露宴、パーティ等の場面で着用するカジュアルでないドレス等のフォーマルな服装にもマッチする意匠的（デザイン的）に見栄えの良いベビースリングの要望がある。特に、結婚式、披露宴、パーティ等の場面において、女性はドレスの上にボレロ、ショール、ストールを着用する人も多く、ベビースリングを着用する場合は、このような着こなしの上に使用者に乳幼児を密着させて保持する形態のベビースリングを更に重ねて装着することになるから、長時間の使用で暑くなって蒸れが生じ、母親と乳幼児の双方に不快感を及ぼすことがある。
【０００４】
ところで、従来のベビースリングとしては、例えば、図９に示したような、一端部にリング（環）を取付け、他端部をこのリングで係止することによって輪状に形成した幅広長尺の布を、使用者の一方の肩にたすき掛けすることで、乳幼児を包み込むようにして保持するものが一般的に知られている。
【０００５】
しかしながら、図９に示した従来のベビースリングにおいては、使用者の片方の肩と背中にたすき掛けによって装着され、乳幼児の体重を片方の肩と背中で支持するものであり、片方の肩にのみ集中的に負担がかかるものであった。
【０００６】
これに対し、特許文献１において、一対の帯のショルダー部側の一端に留め具を取り付け、一対の帯の一端側をクロスさせ、かつ、結合させて背当て部を設け、帯の中間部をクロスさせて他端側を前記留め具に位置調整可能に各別に留め止め可能としたスリングが開示されている。この特許文献１に記載のスリングによれば、一対の帯のショルダー部が使用者の両肩に掛けられることから、肩への負担が軽減される。
【先行技術文献】
【特許文献】
【０００７】
【特許文献１】特開２００６−３２０５２１号公報
【発明の概要】
【発明が解決しようとする課題】
【０００８】
ここで、従来の片肩と背中にたすき状にかけるベビースリングにおいては、背中と片肩のみで本体部に収容された乳幼児の体重を支持することから、図９に示すように、横抱きの状態で乳幼児を保持する場合、使用者の動きに伴って生じる乳幼児への振動や揺れを防止して乳幼児を安定的に保持しようとすると、使用者の身体の左右どちらかに寄せることなく使用者の正面中心側で乳幼児を保持する必要がある。また、特許文献１に記載のベビースリングにおいては、その全体がクロス状の一対の帯によって形成されており、一対の帯のショルダー部側が両肩に垂らされてその各一端側が、両肩の下方でそれらの各他端側と留め具を介して連結する形態で使用者に装着されるものであり、使用者の正面中心で乳幼児を包み込むよう抱きかかえて乳幼児を保持するものである。
このため、これらベビースリングにおいては、乳幼児を抱持する使用者の上半身前見頃が乳幼児によって覆い隠され、着用している衣服の着こなしを台無しにしてしまうことになり、使用者のファッション性を低下させてしまう。
【０００９】
そこで、本発明はかかる要望に応えるべくなされたもので、長時間の使用でも楽に乳幼児を保持することができ、かつ、使用者のファッション性を生かすことができ、意匠的（デザイン的）に見栄えが良く、汎用性のあるベビースリングの提供を課題とするものである。
【課題を解決するための手段】
【００１０】
請求項１の発明のベビースリングは、乳幼児が収容される本体部の長さ方向一端部から二股に分岐して一対の分岐部が形成されており、前記各分岐部が使用者の背中から各肩に掛けられ、前記本体部からの分岐側とは反対側の各一端側において前記本体部の長さ方向他端側に連結されるものである。
【００１１】
ここで、上記本体部は、乳幼児が収容されて乳幼児を保持するものであり、乳幼児の体重を支持できるに足る強度を有していれば、それを形成する材質は特に限定されるものではなく、各種布帛、通気性の良いメッシュ等が使用され、全体を同一の素材で形成しても良いし、異なる素材を組み合わせても良い。例えば、幅方向中央部に伸縮性の素材を使用し、その両側の幅方向両端部に非伸縮性の素材を使用した場合には、幅方向両端部で強度を確保しながら幅方向中央部では収容される乳幼児の体型にフィットして支えることができ、安定した収容ができる。
【００１２】
また、上記一対の分岐部は、前記本体部の長さ方向一端部から二股に分岐して形成され、各分岐部が乳幼児を保持する使用者の背中から各肩に掛けられ使用者に装着されるものであり、使用者の背中から両肩にかけて前記本体部に収容された乳幼児の体重を支持するものである。この一対の分岐部も、それを形成する材質は特に限定されるものではなく、各種布帛、通気性の良いメッシュ等が使用され、前記本体部と同一の素材で一体に連続形成しても良いし、前記本体部とは異なる素材で一体に連続形成しても良いし、別体として設けることも可能である。
【００１３】
そして、前記本体部に収容された乳幼児の保持は、前記本体部の一端部から二股に分岐した前記各分岐部を使用者の背中から各肩に掛け回し、前記本体部からの分岐側とは反対側の各一端側が前記本体部の長さ方向の他端側に連結されることによって使用者に装着され、前記本体部に収容された乳幼児の体重を使用者の背中から両肩で支持して行われるものである。
なお、前記本体部の長さ方向他端側とは、前記本体部の長さ方向一端部に形成された一対の分岐側とは反対側の端部側のことである。
【００１４】
請求項２の発明のベビースリングは、前記本体部の長さ方向の他端側及び前記一対の分岐部の前記本体部からの分岐側とは反対側の各一端側が連結部材の介在によって連結されており、前記連結部材によって全体の長さが調節可能に形成されているものである。
【００１５】
上記連結部材は、前記本体部の長さ方向他端側と前記本体部からの分岐側とは反対側の各一端側とを連結するものであり、前記本体部の長さ方向他端側及び／または前記一対の分岐部の各一端側に取り付けられ、前記本体部の長さ方向他端側及び／または前記一対の分岐部の各一端側の長さ方向の任意の位置を拘束することによって、ベビースリング全体の長さを調節自在とするものであればよく、例えば、円形状、Ｄ字形状、馬蹄形状、角形状、楕円形状等の任意形状のリング（複数個のリング）や、複数の孔を有するベルト通しや、バックル等が使用される。この連結部材を構成する材質は特に限定されるものではなく、合成樹脂で形成することもできるし、アルミニウム、チタン、鉄等の金属製のもので形成することもできるが、できるだけ軽量で機械的強度が強いことが望ましい。
【００１６】
請求項３の発明のベビースリングは、前記連結部材は複数のリングで構成されており、前記リングは前記本体部の他端部に取り付けられ、前記リングの孔に前記一対の分岐部の各一端側を通し前記リング間で前記一対の分岐部の一端側を挟むことによって、前記一対の分岐部の各一端側の長さ方向の任意の位置を拘束するものであり、リングによる一対の分岐部の拘束位置を加減するだけで、ベビースリングの長さ寸法を無段階で調節可能としたものである。しかし、本発明を実施する場合には、リングを前記一対の分岐部の各一端側に取り付け、前記リングの孔に前記本体部の他端側を通し前記リング間で前記本体部の他端側を挟むことによって、前記本体部の長さ方向の任意の位置を拘束することも可能である。
【００１７】
請求項４の発明のベビースリングの前記連結部材は、複数のバックルで構成されており、前記バックルは前記本体部の他端部に取り付けられ、前記バックルに前記一対の分岐部の各一端側のバックルを接続し、前記複数のバックル間で前記一対の分岐部の一端側を挟むことによって、前記一対の分岐部の各一端側の長さ方向の任意の位置を拘束するものであり、複数のバックルによる一対の分岐部の拘束位置を加減するだけで、ベビースリングの長さ寸法を無段階で調節可能としたものである。しかし、本発明を実施する場合には、バックルを前記一対の分岐部の各一端側に取り付け、前記バックルに前記本体部の他端側を接続し、前記リング間で前記本体部の他端側を挟むことによって、前記本体部の長さ方向の任意の位置を拘束することも可能である。
【００１８】
請求項５の発明のベビースリングは、各一対の分岐部の長さ方向に対する直角方向の幅を略１０ｃｍ乃至略２０ｃｍの範囲内としたものである。
ここで、上記一対の分岐部の長さ方向に対する直角方向の幅を１０ｃｍ以上とすることで、肩から腕にかけて覆うことができる長さとなり、結婚式等で装着されるボレロ調やストール調の意匠性を表象することができる。一方で、２０ｃｍよりも幅広にすると、余裕がありすぎて部分的に折れ曲がる可能性が出てくる。そこで、各分岐部２０Ａ，２０Ｂの長さ方向に対する直角方向の幅は、略１０ｃｍ乃至略２０ｃｍの範囲内とするのが望ましい。
なお、本発明において数値の１０ｃｍ乃至２０ｃｍの範囲内は、臨界値、境界値として当該値が出てきたものではなく、その数値は大凡の値として捉えており、３割程度の誤差を含む略１０ｃｍ乃至略２０ｃｍの範囲内を意味するものである。
【発明の効果】
【００１９】
請求項１の発明に係るベビースリングによれば、乳幼児が収容される本体部の長さ方向一端部から二股に分岐して一対の分岐部が形成されており、前記各分岐部が使用者の背中から各肩に掛けられ、各分岐部の前記本体側とは反対側の一端側が前記本体部の他端部に連結した形態で、使用者に装着され、前記本体部に収容された乳幼児を保持するものである。
このように、乳幼児が収容される本体部の長さ方向一端部から二股に分岐した一対の分岐部が使用者の背中から両肩に掛けられることから、本体部に収容された乳幼児の体重を使用者の背中から両肩にかけて左右バランス良く大きな面で支持することができる。したがって、従来の片肩と背中にたすき状にかけるベビースリングと比較して、片肩へ集中的負担が少なく、乳幼児の体重を使用者の背中から両肩にかけて分散させて左右対称にバランスのとれた姿勢で乳幼児を支持することができることから、長時間の使用でも楽に乳幼児を保持することができる。また、使用者の背中から両肩にかけて大きな面で乳幼児の体重を支持して保持することから、使用者の動きに伴って生じる乳幼児への振動や揺れを抑えることが可能になり、保持安定性も増す。
【００２０】
さらに、本体部の長さ方向一端部から二股に分岐して使用者の背中から両肩に掛け回された一対の分岐部の一端側は、本体部の長さ方向他端側に連結される構成となっていることから、使用者の正面中心側の胸部周辺で一対の分岐部の一端側を本体部の長さ方向他端側と連結させることで、使用者の身体の左右どちらかに寄せて、即ち、使用者の正面片側に乳幼児が収容される本体部を配置させて乳幼児を収容して保持する空間を形成できる。したがって、使用者の正面片側で本体部に収容された乳幼児を保持することができ、装着状態で使用者の正面全体が乳幼児を収容する本体部で覆われることはないため、使用者のファッション性を生かすことができる。このとき、本体部に収容された乳幼児は背中から両肩で支えているため、使用者の正面片側で本体部に収容された乳幼児を保持しても、振動や揺れが抑えられ、安定した保持が可能である。加えて、一対の分岐部が背中から両肩に掛け回され本体部の長さ方向他端部に連結した形態で使用者に装着されることで、ボレロやストール等の衣服を羽織っているような印象を与え左右のバランスが良くて意匠的（デザイン的）に見栄えが良い。
【００２１】
そして、このように、長時間の使用でも楽に乳幼児を保持することができるといった機能性に加え、使用者のファッション性を生かすことができ、意匠的（デザイン的）にも見栄えが良いため、結婚式、披露宴、パーティ等の場面で着用するドレス等のフォーマルな服装にもマッチさせることができ、結婚式、披露宴、パーティ等の場面でも汎用できる。
このようにして、長時間の使用でも楽に乳幼児を保持することができ、かつ、使用者のファッション性を生かすことができ、意匠的（デザイン的）に見栄えが良く、汎用性のあるベビースリングとなる。
【００２２】
請求項２の発明に係るベビースリングによれば、前記本体部の長さ方向の他端側及び前記一対の分岐部の前記本体部からの分岐側とは反対側の各一端側が連結部材の介在によって連結されており、前記連結部材によって全体の長さが調節可能に形成されていることから、請求項１に記載の効果に加えて、使用者の体格や種々の抱持方法・姿勢に応じてベビースリングを適切な長さ寸法に調節できる。
【００２３】
請求項３の発明に係るベビースリングによれば、前記連結部材は複数のリングで構成されており、前記リングは前記本体部の他端部に取り付けられ、前記リングの孔に前記一対の分岐部の各一端側を通し前記リング間で前記一対の分岐部の各一端側を挟むことによって、前記一対の分岐部の長さ方向の任意の位置を拘束することから、請求項２に記載の効果に加えて、リングによって各分岐部の長さ方向の拘束位置を加減するだけで、ベビースリングの長さ寸法を無段階で調節でき、寸法調節が容易である。また、一対の分岐部を使用者の背中から両肩に掛け回し、本体部の他端部に取り付けられたリングに拘束するだけで装着できる一方で、その拘束を解除するだけで脱着できることから、装着や脱着が容易にできる。さらに、使用者の各肩に掛けられた各分岐部の一端側がそれぞれリング間に挟まれテール部（余長部）を引き出すことで、テール部をリボン調の意匠性に表象できる。これによって装飾的効果が増大し、見栄えを向上できる。
【００２４】
請求項４の発明に係るベビースリングによれば、前記連結部材は複数のバックルで構成されており、前記バックルは前記本体部の他端部に取り付けられ、前記バックルに前記一対の分岐部の各一端側の複数のバックルを接続し、前記バックル相互間で前記一対の分岐部の各一端側を挟むことによって、前記一対の分岐部の長さ方向の任意の位置を拘束することから、請求項２に記載の効果に加えて、複数のバックルによって各分岐部の長さ方向の拘束位置を加減するだけで、ベビースリングの長さ寸法を無段階で調節でき、寸法調節が容易である。また、一対の分岐部を使用者の背中から両肩に掛け回し、本体部の他端部に取り付けられたバックルに接続するだけで装着できる。さらに、使用者の各肩に掛けられた各分岐部の一端側がそれぞれ複数のバックル間に挟まれテール部（余長部）を引き出すことで、テール部をリボン調の意匠性に表象できる。これによって装飾的効果が増大し、見栄えを向上できる。
【００２５】
請求項５の発明に係るベビースリングによれば、各分岐部の長さ方向に対する直角方向の幅を略１０ｃｍ乃至略２０ｃｍの範囲内としたことから、請求項１乃至請求項４の何れか１つに記載の効果に加えて、各分岐部は肩から腕にかけて覆うことができる長さとなり、結婚式等で装着されるボレロ調やストール調の意匠性を表象することができる。さらに、肩から腕にかけて、肩の肩甲骨、鎖骨、上腕骨の全体で、本体部に収容された乳幼児を支えることができることから、加重が分散され使用者への負担が軽減され、また、各分岐部が肩からずれにくく安定した支持状態を維持できる。特に、使用者の頚部に近い肩甲骨、鎖骨周囲の薄い筋肉で形成された僧帽筋での荷重の受けに加え、上腕骨周囲の厚い筋肉で形成された三角筋での受けも可能となり、疲れを軽減できて肩凝りが生じ難い使用を可能とする。
【図面の簡単な説明】
【００２６】
【図１】図１は本発明の実施の形態に係るベビースリングの全体の内側構成を示す平面図である。
【図２】図２は本発明の実施の形態に係るベビースリングの全体の外側構成を示す図１の裏面図である。
【図３】図３は本発明の実施の形態に係るベビースリングの全体の使用する直前の展開を示す全体説明図である。
【図４】図４は本発明の実施の形態に係るベビースリングの使用状態を示す使用者の正面側からみた説明正面図である。
【図５】図５は本発明の実施の形態に係るベビースリングの一対の分岐部の連結部材への取付方法を説明するための説明図であり、（ａ）はその正面図、（ｂ）はその断面図である。
【図６】図６は本発明の実施の形態に係るベビースリングの使用状態を示す使用者の背面側からみた説明背面図である。
【図７】図７は本発明の実施の形態に係るベビースリングを使用して乳幼児を保持した状態を示す説明図である。
【図８】図８は本発明の実施の形態に係るベビースリングの連結部材の変形例１を示す斜視図である。
【図９】図９は、従来の片肩と背中にたすき状にかけるベビースリングの使用状態を示す説明図である。
【発明を実施するための形態】
【００２７】
以下、本発明の実施の形態について、図面を参照しながら説明する。
なお、本実施の形態において、同一の記号及び同一の符号は同一または相当する機能部分を意味するものであるから、ここでは重複する詳細な説明を省略する。
【００２８】
まず、本発明の実施の形態に係るベビースリング１の構成について、主に、図１乃至図３を参照して説明する。
図１乃至図３において、本実施の形態に係るベビースリング１は、乳幼児が収容される本体部１０と、本体部１０の長さ方向一端部から二股に分岐して形成され、乳幼児を保持する使用者の両肩（Ｒ，Ｌ）に掛けられる一対の分岐部２０Ａ，２０Ｂと、本体部１０の長さ方向他端部に取り付けられた連結部材としてのリング３０（３０Ａ，３０Ｂ，３０Ｃ）とから構成されている。
【００２９】
具体的に、本実施の形態に係るベビースリング１は、同寸法の長尺の布生地からなる帯状体１１Ａと帯状体１１Ｂのそれぞれの幅方向の片縁を幅方向における中心線に合わせ互いに重ねて縫着し（図１乃至図３の破線にて表示）、縫着した帯状体１１Ａと帯状体１１Ｂの長さ方向一端側がその両端部の幅が徐々に狭くなるよう折り畳まれ絞られてリング３０（３０Ａ，３０Ｂ，３０Ｃ）に通され折返して縫着されることによって本体部１０を形成し、帯状体１１Ａと帯状体１１Ｂにおいて互いに重なり合っていない長さ方向他端側で二股に分岐した一対の分岐部２０Ａ，２０Ｂを形成している。
なお、図１乃至図３において、破線の箇所は、縫製した部分を示す。図１乃至図３においては、破線で示したように、帯状体１１Ａと帯状体１１Ｂを重ねて縫着した側と縫着していない分岐側との境界部で、正方形状かつ、その内部をクロス状にステッチを施すことによって、強度を高め、縫い合わせが外れて分裂したり生地が破断したりする事態を防いでいる。
なお、本体部１０及び帯状体１１Ａと帯状体１１Ｂは、一重の布地であっても２重以上の布地であってもよい。但し、本体部１０は帯状体１１Ａまたは帯状体１１Ｂよりも幅広であるか、或いは、長さ方向に対する垂直の両幅に若干の芯材を入れて乳幼児の受け入れ構造としてもよい。
【００３０】
本実施の形態において、本体部１０は、その長さ方向の一端側に一対の分岐部２０Ａ，２０Ｂが二股に分岐して形成されており、また、長さ方向に対する直角方向の幅が長さ方向の他端部に向かって徐々に狭くなるよう乳幼児が収容される内側に折り畳まれて絞られ、長さ方向の他端部にてリング３０（３０Ａ，３０Ｂ，３０Ｃ）に通されループ状に縫着されることによって、リング３０（３０Ａ，３０Ｂ，３０Ｃ）が取り付けられている。
なお、本実施の形態の本体部１０は、上述したように、同寸法の布生地からなる帯状体１１Ａと帯状体１１Ｂのそれぞれの幅方向の片縁をその幅方向における中心線で互いに重ねて縫着して形成されていることによって、一枚布で形成した場合よりその機械的強度が高められている。
【００３１】
そして、後述するベビースリング１の装着状態における図４、図６及び図７で示すように、一対の分岐部２０Ａ，２０Ｂへと繋がる本体部１０の一端側が使用者の片脇を通って背中に当てられ、本体部１０の一端部から二股に分岐した一対の分岐部２０Ａ，２０Ｂがそれぞれ使用者の背中から左肩Ｌまたは右肩Ｒに掛け回されて、本体部１０の他端部に取り付けられたリング３０（３０Ａ，３０Ｂ，３０Ｃ）に連結されることによって使用者に装着された状態で、本実施の形態の本体部１０は、使用者の背中に当てられる一端側からリング３０（３０Ａ，３０Ｂ，３０Ｃ）が取り付けられた他端部の間において、乳幼児を収容して保持する空間を形成する。
【００３２】
特に、本体部１０の幅方向両端側がリング３０（３０Ａ，３０Ｂ，３０Ｃ）を取り付けた他端部に向かって徐々に狭くなるよう折り畳まれていることによって、使用者への装着状態で、本体部１０の幅方向両端側がその内側中心部に向かって絞られ袋状となって乳幼児を収容しやすく、また、折り畳まれ部分が適宜伸長することで、乳幼児の体型、姿勢、動きに応じて、乳幼児を密着させた状態で包んで保持する空間を形成することができる。
【００３３】
一対の分岐部２０Ａ，２０Ｂは、本体部１０の長さ方向においてリング３０（３０Ａ，３０Ｂ，３０Ｃ）が取り付けられた端部とは反対側の端部から２股に分岐して形成されたもので、後述するベビースリング１の装着状態における図４、図６及び図７で示すように、使用者の背中から各肩Ｒ，Ｌに掛け回され、本体部１０側とは反対側の端部が、本体部１０に取り付けられたリング３０（３０Ａ，３０Ｂ，３０Ｃ）に着脱自在に取り付けられるものである。
【００３４】
この一対の分岐部２０Ａ，２０Ｂにおいては、それぞれ本体部１０側とは反対側の端部に、幅Ｗ方向に沿ってリング３０（３０Ａ，３０Ｂ，３０Ｃ）の孔の直径よりも長い硬質芯材２１Ａ，２１Ｂが内包されて縫い込まれており、リング３０（３０Ａ，３０Ｂ，３０Ｃ）に取り付ける際には、図３に示すように、芯材２１Ａ，２１Ｂに向かって幅Ｗ方向両側を内側に折り畳むことによって、後述する図４で示すように、リング３０（３０Ａ，３０Ｂ，３０Ｃ）の孔に通され、リング３０（３０Ａ，３０Ｂ，３０Ｃ）間で拘束される。このとき、一対の分岐部２０Ａ，２０Ｂの本体部１０側とは反対側の一端部に、リング３０（３０Ａ，３０Ｂ，３０Ｃ）の直径より長い硬質の芯材２１Ａ，２１Ｂが縫い込まれていることによって、人為的に一対の分岐部２０Ａ，２０Ｂをリング３０（３０Ａ，３０Ｂ，３０Ｃ）から外さない限り、一対の分岐部２０Ａ，２０Ｂがリング３０（３０Ａ，３０Ｂ，３０Ｃ）から抜け出ないようになっている。なお、本発明を実施する場合には、硬質の芯材２１Ａ，２１Ｂを縫い込まなくても、一対の分岐部２０Ａ，２０Ｂがリング３０（３０Ａ，３０Ｂ，３０Ｃ）から抜け出ないような構成であればよく、例えば、その部分の生地を縫製等によって厚く形成するだけでも良い。
【００３５】
ここで、各分岐部２０Ａ，２０Ｂは、その長さ方向に対する直角方向の幅Ｗを、例えば、５ｃｍ以上とすることによって、使用者の肩への負担が軽減される。即ち、本実施の形態のベビースリング１においては、一対の分岐部２０Ａ，２０Ｂによって本体部１０に収容された乳幼児を両肩（Ｒ，Ｌ）で支えるも、各分岐部２０Ａ，２０Ｂの幅が５ｃｍ未満の幅狭では、肩の肩甲骨、鎖骨、上腕骨の何れに集中的な荷重が加わることになり、短時間の使用で肩こり等の障害、血管圧迫による障害が生じやすく、結婚式等の場面では長時間の連続使用が想定されことから、使用者が耐えられる肩の負担を考慮すると、各分岐部２０Ａ，２０Ｂの長さ方向に対する直角方向の幅は５ｃｍ以上とすることが望ましい。
【００３６】
特に、好ましくは、後述するベビースリング１の装着状態における図４、図６及び図７で示すように、１０ｃｍ以上の幅広とすることによって、肩から腕にかけて覆うことができる長さとなり、結婚式等で装着されるボレロ調やストール調の意匠性を表象することができる。さらに、肩から腕にかけての広範囲で、詳細には、肩の肩甲骨、鎖骨、上腕骨の全体で、本体部１０に収容された乳幼児を支えることになることから、加重が分散され使用者への負担が軽減され、また、各分岐部２０Ａ，２０Ｂが肩からずれにくく安定した支持状態を維持できる。特に、使用者の頚部に近い肩甲骨、鎖骨周囲の薄い筋肉で形成された僧帽筋での荷重の受けに加え、上腕骨周囲の厚い筋肉で形成された三角筋での受けも可能となり、疲れを軽減できて肩凝りが生じ難い使用を可能とする。しかし、各分岐部２０Ａ，２０Ｂの長さ方向に対する直角方向の幅を２０ｃｍよりも幅広にすると、余裕がありすぎて部分的に折れ曲がる可能性が出てくる。そこで、各分岐部２０Ａ，２０Ｂの長さ方向に対する直角方向の幅は、略１０ｃｍ乃至略２０ｃｍの範囲内とするのが望ましい。
【００３７】
連結部材としてのリング３０は、それぞれ同寸法形状のポリアミド樹脂等の合成樹脂や、金属や、木等の硬い材料からなる円形状の３つのリング３０Ａ，３０Ｂ，３０Ｃで構成されており、各リング３０Ａ，３０Ｂ，３０Ｃの孔に本体部１０の他端部が通され折り返してループ状に縫製されることによって、本体部１０の他端部に取り付けられている。このリング３０（３０Ａ，３０Ｂ，３０Ｃ）は、後述する図４、図６及び図７で示すように、それらの孔に各分岐部２０Ａ，２０Ｂの本体側とは反対側の一端側が通され、各リング３０Ａ，３０Ｂ，３０Ｃ間で各分岐部２０Ａ，２０Ｂの一端側の任意位置を挟んで拘束することによって、一対の分岐部２０Ａ，２０Ｂが取り付けられて、本体部１０の他端部と一対の分岐部２０Ａ，２０Ｂの一端側を連結する。
【００３８】
具体的に、リング３０（３０Ａ，３０Ｂ，３０Ｃ）への一対の分岐部２０Ａ，２０Ｂの取り付け方法は、例えば、図５に示すように、一対の分岐部２０Ａ，２０Ｂのうちの片方の分岐部（２０Ａまたは２０Ｂ）においては、リング３０Ｂの孔とリング３０Ａの孔に順に通した後、リング３０Ａの外側で折り返して再びリング３０Ｂの孔に通し外側へ引き出してリング３０Ａとリング３０Ｂの間に挟んで拘束することによって、リング３０に取り付けられる。また、もう一方の分岐部（２０Ａまたは２０Ｂ）においては、リング３０Ｃの孔とリング３０Ｂの孔に順に通した後、リング３０Ｂの外側で折り返して再びリング３０Ｃの孔に通し外側へ引き出してリング３０Ｂとリング３０Ｃの間に挟んで拘束することによって、リング３０に取り付けられる。このとき、上述したように、一対の分岐部２０Ａ，２０Ｂの一端部に、リング３０（３０Ａ，３０Ｂ，３０Ｃ）の直径より長い硬質の芯材２１Ａ，２１Ｂが縫い込まれていることによって、人為的に一対の分岐部２０Ａ，２０Ｂをリング３０（３０Ａ，３０Ｂ，３０Ｃ）から外さない限り、一対の分岐部２０Ａ，２０Ｂがリング３０（３０Ａ，３０Ｂ，３０Ｃ）から抜け出ないようになっている。
【００３９】
そして、本実施の形態では、リング３０（３０Ａ，３０Ｂ，３０Ｃ）の孔に通して引き出した一端部（以下、「テール部２０ａ、２０ｂ」と称する）の長さ調節を行って、リング３０（３０Ａ，３０Ｂ，３０Ｃ）間による一対の分岐部２０Ａ，２０Ｂの拘束位置を調節することにより、ベビースリング１の長さが調節可能となっている。
特に、連結部材として３つのリング３０Ａ，３０Ｂ，３０Ｃが使用されていることで、上述の如く、各分岐部２０Ａ，２０Ｂの拘束を同一のリング間でなく異なるリング間で行うことができる。これによって、２つのリングを使用した場合と比較して、各リング３０Ａ，３０Ｂ，３０Ｃに加わる荷重が分散され、リング３０の耐荷重量が向上して安全性が高まる。また、ベビースリング１の装着状態で使用者が寸法調節を行う際に、分岐部２０Ａと分岐部２０Ｂのテール部を楽な力で同時にリング３０（３０Ａ，３０Ｂ，３０Ｃ）から引きだしてその拘束位置を調節できる。
【００４０】
即ち、２つのリングを使用した場合には、必然的に各分岐部２０Ａ，２０Ｂの拘束位置は２つのリング間となり、各分岐部２０Ａ，２０Ｂのテール部を同時に引き出そうとすると、その２つのリング間に力方向が異なる力が加わることになり各分岐部２０Ａ，２０Ｂに対して加える力が互いの力によって抹殺されるため、大きな引き出し力が必要となる。これに対し、３つのリング３０Ａ，３０Ｂ，３０Ｃを使用することによって、各分岐部２０Ａ，２０Ｂを異なるリング間で拘束させることができることから、各分岐部２０Ａ，２０Ｂのテール部を同時に引き出す場合でも、各分岐部２０Ａ，２０Ｂに対して加える力が互いの力によって抹殺されるのが防止され、分岐部２０Ａと分岐部２０Ｂのテール部を楽な力で同時に引き出すことができ、寸法調節を容易に、かつ、楽にできることになる。さらに、リング３０（３０Ａ，３０Ｂ，３０Ｃ）が円形状であることで、リング３０（３０Ａ，３０Ｂ，３０Ｃ）に対して各分岐部２０Ａ，２０Ｂをスライドさせ易く、容易に拘束位置を変更することができる。因みに、万一、３つのリング３０Ａ，３０Ｂ，３０Ｃの何れかが破損しても、残されたリング間で各分岐部２０Ａ，２０Ｂを拘束することで、不便さを生じることなく乳幼児を抱持する補助具としての使用を継続できるうえ、寸法調節も可能である。
なお、上述した取付手順とは逆の手順を踏むことで、一対の分岐部２０Ａ，２０Ｂをリング３０（３０Ａ，３０Ｂ，３０Ｃ）から外すことができる。
【００４１】
このように、本実施の形態においては、本体部１０の他端部に取り付けられたリング３０（３０Ａ，３０Ｂ，３０Ｃ）に各分岐部２０Ａ，２０Ｂの一端側が着脱自在に取り付けられることで、本体部１０の他端部及び一対の分岐部２０Ａ，２０Ｂの一端側が、リング３０（３０Ａ，３０Ｂ，３０Ｃ）を介して連結自在となっており、リング３０（３０Ａ，３０Ｂ，３０Ｃ）によって、ベビースリング１の長さ寸法の調節を可能としている。
【００４２】
このような構成からなる本実施の形態のベビースリング１は、本体部１０の一端部から二股に分岐した各分岐部２０Ａ，２０Ｂを使用者の背中から各肩Ｒ，Ｌに掛け回し、本体部１０の他端部に取り付けられたリング３０（３０Ａ，３０Ｂ，３０Ｃ）の孔に、各分岐部２０Ａ，２０Ｂの本体部１０側とは反対側の一端側を通し、リング３０（３０Ａ，３０Ｂ，３０Ｃ）間で各分岐部２０Ａ，２０Ｂの任意位置を拘束することによって、使用者に装着されて本体部１０に収容される乳幼児を保持する形態をなす。このとき、リング３０（３０Ａ，３０Ｂ，３０Ｃ）による一対の分岐部２０Ａ，２０Ｂの拘束位置を加減することによって、ベビースリング１の長さ寸法を無段階で調節でき、簡単に使用者の体格や種々の抱持方法に応じ使用者と乳幼児の保持間隔等の装着状態を調節できる。
【００４３】
ここで、このように構成された本実施の形態に係るベビースリング１の使用状態について、図４乃至図７を参照して、更に詳しく説明する。
本実施の形態に係るベビースリング１においては、図４及び図６に示すように、乳幼児が収容される本体部１０の一端部から一対の分岐部２０Ａ，２０Ｂが二股に分岐しているため、この一対の分岐部２０Ａ，２０Ｂのうち分岐部２０Ａが使用者の背中から右肩Ｒに掛け回され、また分岐部２０Ｂが使用者の背中から左肩Ｌに掛け回される。一方、本体部１０の他端部にはリング３０（３０Ａ，３０Ｂ，３０Ｃ）が取り付けられているため、このリング３０（３０Ａ，３０Ｂ，３０Ｃ）の孔に、使用者の背中から右肩Ｒに掛け回された分岐部２０Ａの一端側を通すと共に、同じく使用者の背中から左肩Ｌに掛け回された分岐部２０Ｂの一端側を通し、それぞれをリング３０（３０Ａ，３０Ｂ，３０Ｃ）間で拘束する。
【００４４】
より具体的には、例えば、図５に示したように、分岐部２０Ａにおいては、リング３０Ｃの孔とリング３０Ｂの孔に順に通した後、リング３０Ｂの外側で折り返して再びリング３０Ｃの孔に通し外側へ引き出してリング３０Ｂとリング３０Ｃの間に拘束することによって、リング３０に取り付けられる。また、もう一方の分岐部２０Ｂにおいては、リング３０Ｂの孔とリング３０Ａの孔に順に通した後、リング３０Ａの外側で折り返して再びリング３０Ｂの孔に通し外側へ引き出してリング３０Ａとリング３０Ｂの間に拘束することによって、リング３０に取り付けられる。このとき、一対の分岐部２０Ａ，２０Ｂの一端部に、リング３０（３０Ａ，３０Ｂ，３０Ｃ）の直径より長い硬質の芯材２１Ａ，２１Ｂが縫い込まれていることによって、人為的に一対の分岐部２０Ａ，２０Ｂをリング３０（３０Ａ，３０Ｂ，３０Ｃ）から外さない限り、一対の分岐部２０Ａ，２０Ｂがリング３０（３０Ａ，３０Ｂ，３０Ｃ）から抜け出ないようになっている。
【００４５】
このようにして、本実施の形態に係るベビースリング１は使用者に装着され、本体部１０で乳幼児を収容して保持する空間を形成し、使用者の両肩Ｒ，Ｌに掛けられた一対の分岐部２０Ａ，２０Ｂで本体部１０に収容される乳幼児の体重を支持することによって、図７に示したような、乳幼児を保持する形態をなす。
【００４６】
そして、このように本実施の形態に係るベビースリング１は、乳幼児が収容される本体部１０の一端部から一対の分岐部２０Ａ，２０Ｂが二股に分岐しており、分岐部２０Ａが使用者の背中から右肩Ｒに、また分岐部２０Ｂが使用者の背中から左肩Ｌに掛け回され、各肩Ｒ，Ｌに掛け回された各分岐部２０Ａの一端側が本体部１０の他端部に取り付けられたリング３０（３０Ａ，３０Ｂ，３０Ｃ）でまとめられて本体部１０に連結されて、使用者に装着されるものであり、本体部１０に収容される乳幼児を一対の分岐部２０Ａ，２０Ｂによって使用者の背中から両肩Ｒ，Ｌにかけて左右バランス良く大きな面で支える。このため、従来の片肩と背中にたすき状にかけるベビースリングと比較して、片肩への集中的負担が少なく、乳幼児の体重を使用者の背中から両肩Ｒ，Ｌにかけて分散させて左右対称にバランスのとれた姿勢で乳幼児を支持することができ、長時間の使用でも楽に乳幼児を保持することができる。また、使用者の背中から両肩Ｒ，Ｌにかけて大きな面で乳幼児の体重を支持して保持するものであることから、使用者の動きに伴って生じる乳幼児への振動や揺れを抑えることが可能になり、保持安定性も増す。
【００４７】
また、本実施の形態においては、リング３０（３０Ａ，３０Ｂ，３０Ｃ）による一対の分岐部２０Ａ，２０Ｂの長さ方向における拘束位置を加減するだけで、ベビースリング１の長さ寸法を無段階で調節でき、簡単に使用者の体格や種々の抱持方法・姿勢に応じ使用者と乳幼児の保持間隔等の装着状態を調節できる。本実施の形態に係るベビースリング１を使用して乳幼児を抱持する方法としては、例えば、図７に示したように、本体部１０の内側に乳幼児の全身が収容され乳幼児をゆりかごのように抱く横抱きの状態以外にも、縦抱きの状態や使用者の腰骨に座らせるように脇で抱く腰抱きの状態等があり、使用者の好みまたは体型によって、乳幼児の抱く位置を適宜変更することができる。
【００４８】
特に、本体部１０の幅方向両端側がリング３０（３０Ａ，３０Ｂ，３０Ｃ）を取り付けた他端部に向かって徐々に狭くなるよう折り畳まれていることによって、使用者への装着状態で、本体部１０の幅方向両端側がその内側中心部に向かって絞られ袋状となって乳幼児を収容しやすく、また、折り畳まれ部分が適宜伸長することで、乳幼児の体型、姿勢、動きに応じて、乳幼児を密着させた状態で包んで保持する空間を形成することができる。なお、横抱きの場合、図７に示したように、本体部１０の幅方向に沿って乳幼児の身体を載せることで、乳幼児の身体が過剰に丸まることもなく、胸部や腹部の圧迫を防止できる。また、縦抱きの場合、乳幼児の背中から膝裏まで本体部１０で覆うことで、安定した保持が可能である。
【００４９】
このように、本実施の形態に係るベビースリング１においては、リング３０（３０Ａ，３０Ｂ，３０Ｃ）による一対の分岐部２０Ａ，２０Ｂの拘束位置を加減するだけで、抱持姿勢を適宜調整できる。また、分岐部２０Ａを使用者の背中から右肩Ｒに、また分岐部２０Ｂを使用者の背中から左肩Ｌに掛け回し、リング３０（３０Ａ，３０Ｂ，３０Ｃ）によって一対の分岐部２０Ａ，２０Ｂをそれぞれ拘束するだけで使用者に装着でき、さらに、リング３０（３０Ａ，３０Ｂ，３０Ｃ）による拘束を解くだけで脱着できることから、装着や脱着も容易である。このため、授乳時や乳幼児が泣いた時等に抱く姿勢をかえる等の事態にも容易に対応でき、長時間の連続使用を前提とすることができる。
なお、リング３０（３０Ａ，３０Ｂ，３０Ｃ）による拘束位置を加減するだけでベビースリング１の寸法調節が可能であり、使用者と乳幼児の位置関係を無段階で調節できることから、ベビースリング１を装着したまま本体部１０で乳幼児を覆うことで、使用者の左右どちらでの授乳も可能である。
【００５０】
そして、本実施の形態に係るベビースリング１においては、乳幼児が収容される本体部１０の一端部から一対の分岐部２０Ａ，２０Ｂが二股に分岐しており、各分岐部２０Ａ，２０Ｂの一端側が本体部１０の他端部に取り付けられたリング３０（３０Ａ，３０Ｂ，３０Ｃ）に連結される構成であることによって、図４、図６及び図７に示したように、分岐部２０Ａを使用者の背中から右肩Ｒに掛け回し、また、分岐部２０Ｂを使用者の背中から左肩Ｒに掛け回し、使用者の正面中心側の胸部周辺で一対の分岐部２０Ａ，２０Ｂの各一端側をまとめて本体部１０の他端部に取り付けられたリング３０（３０Ａ，３０Ｂ，３０Ｃ）で拘束させることで、使用者の正面片側に乳幼児が収容される本体部１０が配置されて乳幼児を収容して保持する空間が形成される。
【００５１】
したがって、使用者の正面片側、即ち、使用者の身体の左右どちらかに寄せて本体部１０に収容された乳幼児を保持することができ、使用者の正面全体が乳幼児を収容して保持する本体部１０で覆われることはないから、使用者のファッション性を生かすことができる。特に、本体部１０に収容された乳幼児は一対の分岐部２０Ａ，２０Ｂによって使用者の背中から両肩Ｒ，Ｌで支えられるため、使用者の正面片側で本体部１０に収容された乳幼児を保持しても、振動や揺れが抑えられ、安定した保持が可能である。さらに、背中から両肩Ｒ，Ｌに掛け回された一対の分岐部２０Ａ，２０Ｂが、本体部１０の他端部に取り付けられたリング３０（３０Ａ，３０Ｂ，３０Ｃ）でまとめられ、本体部１０の他端部に連結される形態で装着されることで、ボレロ、ショール、ストール等の衣服を羽織っているような印象を与え左右のバランスが良くて意匠的（デザイン的）に見栄えが良い。
【００５２】
特に、本実施の形態においては、一対の分岐部２０Ａ，２０Ｂと本体部１０とを連結する連結部材としてのリング３０（３０Ａ，３０Ｂ，３０Ｃ）が本体部１０の他端部に取り付けられ、使用者の各肩に掛けられた一対の分岐部２０Ａ，２０Ｂの各一端側がそれぞれリング３０（３０Ａ，３０Ｂ，３０Ｃ）間に挟まれ、テール部２０ａ，２０ｂを引き出すことで、リボン調の意匠性を表象できる。これによって装飾的効果も増し、見栄えが向上される。
また、各分岐部２０Ａ，２０Ｂにおいて、その長さ方向に対する直角方向の幅を１０ｃｍ乃至２０ｃｍの範囲内の幅広とすることによって、肩から腕にかけて覆うことができる長さとなり、結婚式等で装着されるボレロ調やストール調の意匠性を表象することができる。加えて、１０ｃｍ以上の幅広とした場合には、肩から腕にかけて、肩の肩甲骨、鎖骨、上腕骨の全体で、本体部１０に収容された乳幼児を支えることになることから、加重が分散され使用者への負担が軽減され、また、各分岐部２０Ａ，２０Ｂが肩からずれにくく安定した支持状態を維持できる。特に、使用者の頚部に近い肩甲骨、鎖骨周囲の薄い筋肉で形成された僧帽筋での荷重の受けに加え、上腕骨周囲の厚い筋肉で形成された三角筋での受けも可能となり、疲れを軽減できて肩凝りが生じ難い使用を可能とする。
【００５３】
このように、本実施の形態のベビースリング１においては、乳幼児を抱持する機能に加え、ボレロ、ショール、ストール等の装飾機能をも有していることになるから、結婚式、披露宴、パーティ等の場面で着用するドレス等のフォーマルな服装にもマッチさせることができ、結婚式、披露宴、パーティ等の場面でも汎用できる。また、従来は、結婚式、披露宴、パーティ等の場面で着用するボレロ、ショール、ストール等の上にベビースリングを重ねて装着することによって長時間の使用で暑くなって蒸れが生じ、使用者と乳幼児の双方に不快感を及ぼすことがあったが、本実施の形態のベビースリング１においては、それを装着することで、ボレロ、ショール、ストール等の代用にもなることから、ボレロ、ショール、ストール等の上に重ねて装着しなくてもよく、使用者と乳幼児にとって快適に使用することができる。
【００５４】
なお、従来の片肩と背中にたすき状にかけて装着されるベビースリングリングのうちリング等を取り付けることによって環状の長さを変化可能としたベビースリングにおいては、使用中にリングから帯状体が抜け、環が解けてしまうことによって乳幼児が滑り落ちてしまう恐れがあった。しかし、本実施の形態にかかるベビースリング１は、乳幼児が収容される本体部１０の一端部から一対の分岐部２０Ａ，２０Ｂが二股に分岐しており、分岐部２０Ａが使用者の背中から右肩Ｒに、また分岐部２０Ｂが使用者の背中から左肩Ｌに掛け回され、各肩Ｒ，Ｌに掛け回された一対の分岐部２０Ａ，２０Ｂの各一端側が本体部１０の他端部に取り付けられたリング３０（３０Ａ，３０Ｂ，３０Ｃ）に拘束されることで本体部１０に連結されて、使用者に装着されるものであり、万一、装着中に、一対の分岐部２０Ａ，２０Ｂのうち片方の分岐部（２０Ａまたは２０Ｂ）がリング３０（３０Ａ，３０Ｂ，３０Ｃ）による拘束から外れた場合でも、他方の分岐部（２０Ａまたは２０Ｂ）によって本体部１０の乳幼児を支えることができ、本体部１０から乳幼児が脱落する事態は防止される。
【００５５】
因みに、装着の際には、予め、乳幼児が収容される本体部１０の一端部から分岐した一対の分岐部２０Ａ，２０Ｂの一端側を、本体部１０の他端部に取り付けられたリング３０（３０Ａ，３０Ｂ，３０Ｃ）間に拘束させて２つの環状部、即ち、分岐部２０Ａと分岐部２０Ｂ間の環状部及び分岐部２０Ａと本体部１０間の環状部を形成し、分岐部２０Ａと分岐部２０Ｂ間の環状部の中に頭を通し、また、分岐部２０Ａと本体部１０間の環状部の中に片腕を通すことによって装着することも可能である。これによっても、分岐部２０Ａが使用者の背中から右肩Ｒに、また分岐部２０Ｂが使用者の背中から左肩Ｌに掛け回され、リング３０（３０Ａ，３０Ｂ，３０Ｃ）によって使用者の胸部周辺で一対の分岐部２０Ａ，２０Ｂがまとめられて連結し、使用者の身体の左右どちらかに寄せて本体部１０に収容された乳幼児が保持されるベビースリング１の装着状態となる。
【００５６】
このように、本発明の実施の形態にかかるベビースリング１は、乳幼児が収容される本体部１０と、本体部１０の長さ方向一端部から二股に分岐して形成され、使用者の両肩Ｒ，Ｌに掛けられ、本体部１０の長さ方向の他端側に連結される一対の分岐部２０Ａ，２０Ｂとを具備するものである。
また、本実施の形態にかかるベビースリング１は、本体部１０の他端部に取り付けられると共に、一対の分岐部２０Ａ，２０Ｂの本体部１０からの分岐側とは反対側の各一端側を挟んで一対の分岐部２０Ａ，２０Ｂの長さ方向の任意位置を拘束する連結部材としてのリング３０（３０Ａ，３０Ｂ，３０Ｃ）の介在によって、本体部１０の他端側及び一対の分岐部２０Ａ，２０Ｂの一端側が連結されており、このリング３０（３０Ａ，３０Ｂ，３０Ｃ）によって、全体の長さが調節可能に形成されているものである。
【００５７】
したがって、本実施の形態にかかるベビースリング１によれば、乳幼児が収容される本体部１０の長さ方向一端部から二股に分岐した各分岐部２０Ａ，２０Ｂが使用者の背中から各肩Ｒ，Ｌに掛けられることから、本体部１０に収容された乳幼児の体重を使用者の背中から両肩Ｒ，Ｌにかけて左右バランス良く大きな面で支持することができる。よって、従来の片肩と背中にたすき状にかけるベビースリングと比較して、片肩への集中的負担が少なく、乳幼児の体重を使用者の背中から両肩Ｒ，Ｌにかけて分散させて左右対称にバランスのとれた姿勢で乳幼児を支持することができることから、長時間の使用でも楽に乳幼児を保持することができる。また、使用者の背中から両肩Ｒ，Ｌにかけて大きな面で乳幼児の体重を支持して保持するものであることから、使用者の動きに伴って生じる乳幼児への振動や揺れを抑えることが可能になり、保持安定性も増す。
【００５８】
さらに、このように本体部１０の長さ方向一端部から二股に分岐して使用者の背中から両肩Ｒ，Ｌに掛け回された一対の分岐部２０Ａ，２０Ｂは、連結部材としてのリング３０（３０Ａ，３０Ｂ，３０Ｃ）を介在させて、本体部１０の長さ方向他端部と連結される構成となっていることから、使用者の正面中心側の胸部周辺で一対の分岐部２０Ａ，２０Ｂをリング３０（３０Ａ，３０Ｂ，３０Ｃ）間に拘束し、本体部１０の長さ方向他端部と連結させることで、使用者の正面片側に、即ち、使用者の身体の左右どちらかに寄せて、乳幼児が収容される本体部１０を配置させ、乳幼児を収容して保持する空間を形成できる。
【００５９】
したがって、使用者の正面片側で本体部１０に収容された乳幼児を保持することができ、装着状態で使用者の正面全体が本体部１０で覆われることはないため、使用者のファッション性を生かすことができる。このとき、本体部１０に収容された乳幼児は背中から両肩Ｒ，Ｌで支えているため、使用者の正面片側で本体部１０に収容された乳幼児を保持した場合でも、振動や揺れが抑えられ、安定した保持が可能である。加えて、一対の分岐部２０Ａ，２０Ｂが背中から両肩Ｒ，Ｌに掛け回され、リング３０（３０Ａ，３０Ｂ，３０Ｃ）を介在させて、本体部１０の長さ方向他端部に連結された形態で装着されることで、ボレロやストール等の衣服を羽織っているような印象を与え左右のバランスが良くて意匠的（デザイン的）に見栄えが良い。
【００６０】
また、本実施の形態にかかるベビースリング１は、本体部１０の他端部に取り付けられると共に、一対の分岐部２０Ａ，２０Ｂの本体部１０からの分岐側とは反対側の各一端側が着脱自在に取り付けられる連結部材としてのリング３０（３０Ａ，３０Ｂ，３０Ｃ）の介在によって、長さ調節可能に形成されており、リング３０（３０Ａ，３０Ｂ，３０Ｃ）による一対の分岐部２０Ａ，２０Ｂの拘束位置を加減するだけで、ベビースリング１の長さ寸法を無段階で調節でき、簡単に使用者の体格や種々の抱持方法・姿勢に応じ使用者と乳幼児の保持間隔等の装着状態を調節できる。
さらに、分岐部２０Ａを使用者の背中から右肩Ｒに、また分岐部２０Ｂを使用者の背中から左肩Ｌに掛け回し、リング３０（３０Ａ，３０Ｂ，３０Ｃ）によって一対の分岐部２０Ａ，２０Ｂをそれぞれ拘束するだけで使用者に装着でき、さらに、リング３０（３０Ａ，３０Ｂ，３０Ｃ）による拘束を解くだけで脱着できることから、装着や脱着も容易である。
【００６１】
そして、このように、長時間の使用でも楽に乳幼児を保持することができ、また、装着や脱着が容易にできるといった機能性に加え、使用者のファッション性を生かすことができ、意匠的（デザイン的）にも見栄えが良いため、結婚式、披露宴、パーティ等の場面で着用するドレス等のフォーマルな服装にもマッチさせることができ、結婚式、披露宴、パーティ等の場面でも汎用できる。
このようにして、長時間の使用でも楽に乳幼児を保持することができ、装着や脱着も容易であり、かつ、使用者のファッション性を生かすことができ意匠的（デザイン的）に見栄えが良く、汎用性のあるベビースリング１となる。
【００６２】
ところで、上記実施の形態では、本体部１０の他端側と一対の分岐部２０Ａ，２０Ｂの一端側とを連結し、ベビースリング１の長さ調節を可能とする連結部材としてのリング３０（３０Ａ，３０Ｂ，３０Ｃ）は、本体部１０の他端部に取り付けられており、一対の分岐部２０Ａ，２０Ｂの各一端側がこのリング３０（３０Ａ，３０Ｂ，３０Ｃ）に対し着脱自在に取り付ける構成となっていて、本体部１０の他端部に取り付けられたリング３０（３０Ａ，３０Ｂ，３０Ｃ）によって、一対の分岐部２０Ａ，２０Ｂの長さ方向の任意位置を拘束してベビースリング１の長さ調節を可能としている。このように、本体部１０に取り付けたリング３０（３０Ａ，３０Ｂ，３０Ｃ）に対して、一対の分岐部２０Ａ，２０Ｂを着脱自在に連結する構成においては、各分岐部２０Ａ，２０Ｂに乳幼児の体重が分散されることから、各分岐部２０Ａ，２０Ｂのリング３０（３０Ａ，３０Ｂ，３０Ｃ）への取付け強度、換言すると、リング３０による拘束強度も安定的であり、長さ調節も容易である。
【００６３】
しかし、本発明を実施する場合には、連結部材としてのリング３０を一対の分岐部２０Ａ，２０Ｂの本体部１０からの分岐側とは反対側の一端部に取り付け、この一対の分岐部２０Ａ，２０Ｂの一端部に取り付けた連結部材に本体部１０の他端側が着脱自在に取り付けられる構成とし、一対の分岐部２０Ａ，２０Ｂの一端部に取り付けられたリング３０によって、本体部１０の長さ方向の任意位置を拘束してベビースリング１の長さ調節を可能とすることもできる。これによっても、使用者の体格や種々の抱持方法・姿勢に応じてベビースリング１を適切な長さ寸法に調節できる。そして、係る場合においても、一対の分岐部２０Ａ，２０Ｂ間に使用者の頭を入れて、一対の分岐部２０Ａ，２０Ｂを使用者の背中から両肩Ｒ，Ｌに掛け、一対の分岐部２０Ａ，２０Ｂの一端部に取り付けられた連結部材としてのリング３０に本体部１０の他端部を連結するだけで装着でき、また、その連結を解除するだけで脱着できることから、装着や脱着が容易にできる。ただし、上記実施の形態のベビースリング１においては、一対の分岐部２０Ａ，２０Ｂのリング３０に通されたテール部２０ａ、２０ｂによってリボン調の意匠性を表象でき、これによって装飾的効果が増して見栄えを向上できるのに対し、一対の分岐部２０Ａ，２０Ｂの一端部に取り付けられた連結部材としてのリング３０に本体部１０の他端部を連結する構成では、リング３０に通された本体部１０のテール部が使用者の胸元に垂れ下がるため、装飾的効果に乏しい。
【００６４】
ここで、上記実施の形態では、本体部１０の他端側と一対の分岐部２０Ａ，２０Ｂの一端側とを連結し、ベビースリング１の長さ調節を可能とする連結部材として、３つの円形状のリング３０（３０Ａ，３０Ｂ，３０Ｃ）を用いており、複数のリングによる連結は、リングを取り付ける一端部とは反対側の他端部に相手材が不要で、長さ調節も容易であるが、本発明を実施する場合には、リングの数や形状はこれに限定されるものではなく、また、その使用方法は複数のリング間で挟み付けて連結することに限定されず、１個のリングの孔にフック等を係止させて連結させることもできる。
【００６５】
連結部材の変形例としては、例えば、図８に示すように、馬蹄形の主環体４１の角形側の内部に第１ブリッジ４２及びこれと平行な第２ブリッジ４３が架設されたリング４０を用いることも可能である。このように構成されたリング４０を２個用い、本体部１０の他端部を各リング４０の第１ブリッジ４２と第２ブリッジ４３の間の孔４４から引き出して、第２ブリッジ４３に掛けたのち、取付側環部４５から引き出しループ状に折り返して縫着することによって、本体部１０の他端部に２個のリングを取り付ける。そして、一対の分岐部２０Ａ，２０Ｂを連結する際には、各分岐部２０Ａ，２０Ｂの一端側をそれぞれリング４０の連結側環部４６に通し、リング間に挟みつけることによって拘束させ、その拘束位置を変えることでベビースリング１の寸法を無段階で調節することができる。
【００６６】
このような構成の変形例にかかるリング４０によれば、第１ブリッジ４２により本体部１０に対するリング４０の回動が阻止され、体裁が良いものとなる。
しかも、このような構成のリング４０においては、射出成形品として、その成形用金型は、図８に示したように、分岐部２０Ａ，２０Ｂが連結する主環体４１の連結部４７の中央に対応する位置にゲート部（Ｇ）を設けることが可能であり、ゲート部（Ｇ）から注入した溶融樹脂を２方向に分けて１８０°進ませ、第１ブリッジ４２の中央、第２ブリッジ４３の中央、及び、本体部１０が取り付けられる主環体４１の取付部４８の中央の３箇所で融合させ、それぞれの位置にウエルド部（Ｗ１，Ｗ２，Ｗ３）を形成できる。一般に射出成形品ではウエルド部の強度が他の部分よりも弱く、耐荷重量を超えるとウエルド部分で割れる可能性が高い。しかし、この変形例に係るリング４０においては、一対の分岐部２０Ａ，２０Ｂが連結される連結部４７側、即ち、最も荷重のかかる一対の分岐部２０Ａ，２０Ｂの拘束位置側を避けて、本体部１０が取り付けられる取付部４８側にウエルド部（Ｗ１，Ｗ２，Ｗ３）を配置でき、しかも、第１ブリッジ４２によってリング４０の回動が阻止されるため、ウエルド部（Ｗ１，Ｗ２，Ｗ３）が最大荷重点に移動するおそれはなく、使用状態において高い強度を得ることができる。
【００６７】
しかし、本発明を実施する場合には、連結部材としてこれらリングに限定されるものではなく、複数の孔を有するベルト通しや、バックル、スナップ等を使用することも可能である。
【００６８】
また、本発明を実施するに際しては、ベビースリング１のその他の部分の構成については、上記実施の形態に限定されるものではない。
例えば、乳幼児を収容する本体部１０の乳幼児が収容される内面側において、樹脂板からなる硬質芯材上にクッション材を重ねて外装布で包む等によって構成した幼児の背面側にあてがう敷板を取り付けることも可能である。これによって、本体部１０に収容される乳幼児の身体の重みによる沈み込みで乳幼児が過度に丸まってその胸部や腹部が圧迫されることを防ぐことができ、更に、クッション材を配設することにで、揺れや衝撃を緩和すると共に、乳幼児の身体に対しての当たりを柔らかいものとすることもできる。
【００６９】
上記実施の形態のベビースリングは、乳幼児が収容される本体部１０と、本体部１０の長さ方向一端部から二股に分岐して形成され、使用者の両肩に掛けられ、本体部１０からの分岐側とは反対側の各端側が、本体部１０の長さ方向の他端側に連結される一対の分岐部２０Ａ，２０Ｂとを具備し、本体部１０の長さ方向の他端側及び前記一対の分岐部２０Ａ，２０Ｂの本体部１０からの分岐側２０Ａ，２０Ｂの各端側は、リング３０，４０としての連結部材の介在によって連結されている。しかし、本発明を実施する場合には、リング３０，４０としての連結部材を、全体の長さが調節可能に形成された複数のバックルで構成することもできる。バックルは前記本体部の他端部に取り付けられ、前記リングに前記一対の分岐部の各端側を接続し、前記バックル間で前記一対の分岐部２０Ａ，２０Ｂの各端側を接続することによって、一対の分岐部２０Ａ，２０Ｂの長さ方向の任意の位置を拘束するものである。当然、バックルに限らず、例えば、円形状、Ｄ字形状、馬蹄形状、角形状、楕円形状等の任意形状のリング（複数個のリング）や、複数の孔を有するベルト通し等が使用できる。
【符号の説明】
【００７０】
１      ベビースリング
１０    本体部
１１Ａ，１１Ｂ    帯状体
２０Ａ，２０Ｂ    一対の分岐部
３０（３０Ａ，３０Ｂ，３０Ｃ）    リング（連結部材）
４０        リング（連結部材）
【図１】
2015192705.tif 000003
【図２】
2015192705.tif 000004
【図３】
2015192705.tif 000005
【図４】
2015192705.tif 000006
【図５】
2015192705.tif 000007
【図６】
2015192705.tif 000008
【図７】
2015192705.tif 000009
【図８】
2015192705.tif 000010
【図９】
2015192705.tif 000011